(57)【要約】      （修正有）【課題】内装施工後において内装シート周縁部の剥離が少なく、搬送中に人体に傷をつけることの少ない、外観が綺麗な多少粗雑に扱っても迅速的確に内装施工が可能な内装シート及びこれを用いた内装施工方法を提供する。【解決手段】合成樹脂シート１１と前記合成樹脂シートの裏面に接着されたマグネットシート１２とからなり、前記合成樹脂シートの周辺は、前記マグネットシートの周辺を越えてその裏面に部分的に延在している。内装シート１０は、目地テープを用いて複数の前記内装シートを接合する内装施工方法に用いると、建造物の内壁表面は比較的平坦にでき、従って美観の伴う壁面が形成される。この方法では、目地テープにより接合された前記内装シート間のいわゆる小口に前記マグネットシートが露出していないので、壁面に形成された前記内装シートの美観を損なうことはない。【選択図】図２
2020033753.tif 000002
【特許請求の範囲】
【請求項１】
合成樹脂シートと前記合成樹脂シートの裏面に接着されたマグネットシートとからなり、前記合成樹脂シートの周辺は、前記マグネットシートの周辺を越えてその裏面に部分的に延在していることを特徴としている。すなわち、前記マグネットシートの周縁部分は、表裏ともに前記合成樹脂シートに包まれていることを特徴とする内装シート。
【請求項２】
請求項１に記載された内装シート及びステンレスなどの下地シートを用意する工程と、建築物内部の壁面に内装を施す領域を設定する工程と、前記内装を施す領域全面に下地シートを敷き詰める工程と、前記内装シートと同じ材料からなる目地テープを前記下地シート上に間隔を置いて貼り付ける工程と、前記内装シートの複数を前記目地テープ間に配置し接合する工程とを備え、これら内装シートの両端は前記目地テープの両端を部分的に覆い、前記目地テープの中央部分が前記内装シートから露出するように配置することを特徴とする内装施工方法。
【発明の詳細な説明】
【技術分野】
【０００１】
本発明は、建築物内部の内装施工方法等に用いる内装シート及び当該内装シートを用いた内装施工方法に関するものである。
【背景技術】
【０００２】
従来、公共建築物、住宅、幼稚園、保育所等の建築物は、必要に応じて内部のリホームを行い、建築物の寿命を長くしている。リホームによって、建築物内部の壁面や床面などの表面を新しい内装材に張り替え、以前と異なる環境にすることが出来る。さらに、近年では、エレベータのような磁性材料から構成された壁面を有する建築物内部の構造物の表面にマグネットシートを取付けた表面部材を磁力により貼り付けて壁面を構成する施工方法が知られている。
出願人は、先に、短時間に簡単に施工が出来るマグネットシートを用いた内装施工方法に係る発明について出願した（特許文献１参照）。これは、合成樹脂シートとマグネットシートとから構成された内装シート（内装フィルムともいう）及び磁性材料から構成された下地シートを用意し、建築物内部の床面又は壁面の所定の領域の内装を施す領域を定め、これら内装を施す領域の表面上に形成された下地シート上に前記内装シートを磁力により取付ける方法である。
【先行技術文献】
【特許文献】
【０００３】
【特許文献１】特開２０１４−２２７７８３号公報
【０００４】
【特許文献２】特開２０１５−７４８９３号公報
【発明の概要】
【発明が解決しようとする課題】
【０００５】
従来のリホームでは、例えば、壁面を改修する場合、まず、古い壁紙を剥がして取り去り、下地を露出させる。そして、その上に壁面の表面を飾る内装材を粘着剤により貼り付けるという施工方法を通常用いている。しかしながら、このような従来の施工方法は、粘着剤を用いるので、乾燥に時間が掛かり、施工時間が長くなるという問題があった。また、室内でも特殊な部分、トイレや台所などは床面の汚れ易く、早めの改修が必要である。出願人の先の特許出願は、このような事情によりなされたもので、短時間に簡単に施工が出来、適用範囲が従来よりも広くなるマグネット式の内装施工方法を提供するものである。
【０００６】
ところで、近年、内装施行方法において防炎性を高めることによって建築物の耐火性を高める開発が進んでいる。例えば、出願人が開発した内装施工方法でも防炎性内装シートを用いている。ここで用いる防炎性内装シートは、合成樹脂シートと、前記合成樹脂シートの裏面に形成されたマグネットシートと、前記合成樹脂シート及び前記マグネットシートの間に介在して形成された防炎剤層とを備えている。そして、その内装施工方法は、防炎性内装シート及び磁性材料から構成された下地シートを用意し、建築物内部の床面の所定の領域を内装する領域と定め、これら内装を施す領域の表面上に形成された下地シート上に防炎性内装シートを磁力により取付けることを特徴としている（特許文献２参照）。
【０００７】
建築物内部に内装された内装シートは、商品として流通するものであり、外観が良いことが必要である。また、従来の商品としての内装シートは搬送中に周辺部分で指を傷つけるような不具合があった（図８参照）。図８は、従来の内装シートの斜視図であり、マグネットシートの上に合成樹脂シートが積層され接着された構造になっている。両シートは、積層し接着後にそのまま所定の形状に裁断されるので、その積層体の周辺は接着部分が露出し、さらに、移動する際に作業中の振動などにより接着部分が剥がれる例もあり、注意して搬送することが不可欠であった。また、従来は内装シート同士を目地テープにより接合する内装施工方法を用いた場合、内装シート間の接合部分には、マグネットシートが露出して美観を損なう構造になっている。
本発明は、このような事情によりなされたものであって、内装シートの施工後において内装シート周縁部の剥離が少なく、見た目が良く、多少粗雑に扱っても迅速的確に内装施工できる内装シート及びこの内装シートの複数を目地テープの介在によって接合する内装施工方法を提供する。
【課題を解決するための手段】
【０００８】
本発明の内装シートの一態様は、合成樹脂シートと前記合成樹脂シートの裏面に接着されたマグネットシートとからなり、前記合成樹脂シートの周辺は、前記マグネットシートの周辺を越えてその裏面に部分的に延在していることを特徴としている。すなわち、前記マグネットシートの周縁部分は、表裏ともに前記合成樹脂シートに包まれている。  前記内装シートを用いて最適な内装施工方法は、内装シート及びステンレスなどの下地シートを用意する工程と、建築物内部の壁面に内装を施す領域を設定する工程と、前記内装を施す領域全面に下地シートを敷き詰める工程と、前記内装シートと同じ材料からなる目地テープを前記下地シート上に間隔を置いて貼り付ける工程と、前記内装シートの複数を前記目地テープ間に配置し接合する工程とを備え、これら内装シートの両端は前記目地テープの両端を部分的に覆い、前記目地テープの中央部分が前記内装シートから露出するように配置することにある。
【発明の効果】
【０００９】
本発明の内装シートは、内装シートの施工後において内装シート周縁部の剥離が少なく、外観が綺麗であり、多少粗雑に扱っても迅速的確に内装施工を行うことができる。当該内装シートは、目地テープを用いて複数の内装シートを接合する内装施工方法に用いると建造物の内壁表面は比較的平坦であり、したがって美観の伴う壁面が形成される。また、この方法では、目地テープにより接合された内装シート間のいわゆる小口にマグネットシートが露出していないので、壁面に形成された内装シートの美観を損なうことはない。
【図面の簡単な説明】
【００１０】
【図１】実施例１に係る内装シートの斜視図。
【図２】図１の内装シートに於けるA―A´線に沿う部分の断面図。
【図３】図１の内装シートに於ける裏面を示す斜視図。
【図４】実施例１の内装施工に用いる下地シートの斜視図。
【図５】実施例２の内装シートを適用した工程を説明する建造物内部の壁面の正面図。
【図６】図５の要部を詳細に説明する断面図。
【図７】内装シートを取り付けたエレベータ内部の斜視図及び正面図。
【図８】従来の内装シートの斜視図。
【発明を実施するための形態】
【００１１】
以下、実施例を参照して発明の実施の形態を説明する。
【実施例１】
【００１２】
まず、図１乃至図５を参照して実施例１を説明する。
内装シート１０は、合成樹脂シート１１と合成樹脂シート１１の裏面に接着されたマグネットシート１２とを有している（図２参照）。内装シート１０は、合成樹脂シート１１及びマグネットシート１２の間に介在して形成された防炎剤層を備えるようにしても良い。防炎剤層は、例えば、合成樹脂シートとマグネットシートの間に挿入する。
この実施例において、内装シート１０は、図２に示すように、合成樹脂シート１１の周辺がマグネットシート１２の周辺を越えてその裏面に部分的に延在しているように構成されている。すなわち、マグネットシート１２の周縁部分は、表裏ともに合成樹脂シート１１によって包まれている。この構成が、従来の単にマグネットシートと合成樹脂シートとが積層され、マグネットシートの周縁部分が露出している内装シートとは異なっている（図８参照）。
実施例では、このような構成になっているので、前述した従来の内装シートに比較して、内装シート施工後において内装シート周縁部の剥離が少なく、外観が綺麗であり、多少粗雑に扱っても迅速的確に内装施工を行うことができる。  
【００１３】
図１は、内装シート１０の表面（合成樹脂シート１１側）を上にした斜視図である。図３は、内装シート１０の裏面（マグネットシート１２側）を上にした斜視図である。図３に示すように、露出したマグネットシート１２を囲むように周辺部分（側面）１０ａは、合成樹脂シート１１で被覆されている。内装シート１０の裏面側に被覆されている部分（巻き込みシートという）の幅ｄ（図２参照）は、２０ｍｍ〜５０ｍｍが適当である。２０ｍｍ未満では剥離を防ぐ作用効果が少なく、５０ｍｍを超えると作用効果は飽和しており、それ以上は材料を無駄にするものである。図４に記載された下地シート２０は、例えば、ステンレスからなり、裏面にアクリル樹脂などの粘着剤２１が塗布されている。粘着剤２１は、通常、剥離紙２２により保護されている。この内装シートを用いたマグネット式内装施工方法は、実施例２で説明する。
【実施例２】
【００１４】
次に、図５乃至図７を参照して、実施例１の内装シートを利用して行われる内装施工方法を説明する。
図５は、建築物内部の壁面を示している。まず、内装シート及びステンレスなどの下地シートを用意する。つぎに、建築物内部の壁面の内装を施す領域を設定し、この領域の古い壁紙などを取り除いて表面を清浄にする。そして、この領域全面に下地シートを敷き詰める（図５（ａ））。下地シートは、領域全面に1枚のシートを敷く。下地シートは、図４に示す剥離紙２２を剥ぎながら粘着剤２１を領域表面に貼り付けて固定される。次に、内装シートと同じ材料からなる目地テープを下地シート上に間隔を置いて接着剤により貼り付ける（図５（ｂ））。次に、内装シートを目地テープ間に配置し、これら内装シートの両端は目地テープの両端を部分的に覆い、目地テープの中央部分が内装シートから露出するように配置する（図５（ｃ））。
次に、図６を参照して、目地テープを介在させ、第１の内装シートと第２の内装シートとを壁面において接合する内装施工方法を詳細に説明する。図５には、建築物内部の壁面に形成された内装シートを示している。この内装シートは、複数のシートを目地テープの介在により接合し、一体的に形成された構造になっているが、図６には、図５の内装シートの内２枚のシートを目地テープにより接合する方法が図示されている。
ステンレスなどからなる下地シート２０上に、裏面に接着剤を塗布した目地テープ１４を貼り付ける。目地テープ１４の幅は、例えば、１０ｍｍである。次に、第１の内装シート１０（１）及び第２の内装シート１０（２）を用意し、内装シートを構成するマグネットシート１２の裏面に延在する巻込みシート１３の縁に沿って接着用の両面テープ１５を貼り付ける。両面テープ１５の幅は、例えば、１０ｍｍである。そして、内装シート１０（１）、１０（２）を下地シート２０及び目地テープ１４の上に置き、内装シート１０（１）、１０（２）は、それぞれの両面テープ１５により、目地テープ１４に接合する。その際の内装シート１０（１）、１０（２）端部は、互いに目地テープ１４上で対向し、その間隔は、例えば、２ｍｍである。この間隔は、２〜１０ｍｍが適当である。
【００１５】
以上、この実施例ではステンレスなどから構成された下地シートを用いて内装シートを壁面に固定しているので、内装施工を短時間で簡単に行うことが出来る。内装シートの施工後に内装シート周縁部の剥離が少なく、また、内装シートは、合成樹脂シートにより表面を被覆され、更に、マグネットシートの側面を越えて裏面側にも延在する部分（巻き込みシート）を有しているので、第1の内装シートと第２の内装シートの接合部分（いわゆる小口）には、マグネットシートが露出しておらず、そのためこの接合部分を含む壁面に施工された内装シートは美観を伴う構造になっている。また、内装シートは目地テープ部分から剥がすことにより取外しが容易になる。
巻き込みシートの幅、両面テープの幅、目地テープの幅及び目地テープ上の両内装シートの対向間隔は、実施例に示したように、適宜決めることができる。この目地テープが存在する部分は、目地テープ、両面テープ、巻き込みシート、マグネットシート、合成樹脂シートが多層に重なっているので、凸の部分が出来る。そのため、内装シートは、全体的にみて凹凸があるように見え、美観を損ねるが、前述の巻き込みシートの幅、両面テープの幅、目地テープの幅及び目地テープ上の両内装シートの対向間隔を、実施例のように、広くとれば、凸部の傾斜がなだらかになって、内装シート表面はほぼ平坦になって、美観を損ねることはない。例えば、巻き込みシートの幅ｄ（図２参照）は、２０〜５０ｍｍが適当であると前述したが、上記の様に、幅ｄを狭くすると、前記凸部は、急峻になり、全体の美観を損ねるものであるのでその範囲で、できる限り広い方が好ましい。
【００１６】
次に、図７を参照して、実施例１に示された内装シートを利用して行われる他の内装施工方法を説明する。この方法では、内装シートをエレベータの内壁に貼り付けると共に防犯ミラーを貼り付ける。内装シート１０は、マグネットシート、防炎剤層、合成樹脂フィルムの三層からなる。合成樹脂シート１１は、マグネットシート及び防炎剤層の周縁部分を包むように構成されている。この防犯ミラーは、例えば、エレベータ内部の開閉扉に貼り付ける。開閉扉の対抗する壁面上部にはレンズが防犯ミラーに向いている監視カメラを設置する。防犯ミラーの映像を監視することによりカメラの視野を広げることが出来る。
以上、実施例によれば、短時間に簡単に施工が出来る。また、内装シートは、内装シートの施工後において内装シート周縁部の剥離が少なく、外観が綺麗であり、多少粗雑に扱っても迅速的確に内装施工を行うことができる。当該内装シートは、目地テープを用いて複数の内装シートを接合する内装施工方法に用いると建造物の内壁表面は比較的平坦に形成され、したがって美観の伴う壁面が形成される。また、この方法では、目地テープにより接合された内装シート間のいわゆる小口にマグネットシートが露出していないので、壁面に形成された内装シートの美観を損なうことはない。
【符号の説明】
【００１７】
１０、１０（１）、１０（２）・・・内装シート
１０ａ・・・内装シートの周辺部分（側面）
１１・・・合成樹脂シート
１２・・・マグネットシート
１３・・・巻き込みシート
１４・・・目地テープ
１５・・・両面テープ（接着テープ）
２０・・・磁性材料から構成された下地シート
２１・・・粘着剤
２２・・・剥離紙
【図１】
2020033753.tif 000003
【図２】
2020033753.tif 000004
【図３】
2020033753.tif 000005
【図４】
2020033753.tif 000006
【図５】
2020033753.tif 000007
【図６】
2020033753.tif 000008
【図７】
2020033753.tif 000009
【図８】
2020033753.tif 000010